(57)【要約】【課題】より多くの情報を収集可能な情報収集装置を提供すること。【解決手段】本開示は、複数の情報提供装置とネットワークを介してデータ通信可能な情報収集装置であって、前記複数の情報提供装置のうち、事件が発生した地点周辺の情報提供装置から、前記事件の発生を告知する情報を受信する受信部、および、少なくとも前記事件の関連づけに使用されるタグ情報を前記ネットワークに送り出す送信部、を備え、前記受信部は、前記複数の情報提供装置のうち、前記タグ情報を受信した情報提供装置から、前記事件に関連する追加の情報を受信する、情報収集装置に向けられる。【選択図】図２Ｅ
2018081489.tif 000002
【特許請求の範囲】
【請求項１】
複数の情報提供装置とネットワークを介してデータ通信可能な情報収集装置であって、
前記複数の情報提供装置のうち、事件が発生した地点周辺の情報提供装置から、前記事件の発生を告知する初期の情報を受信する受信部、および
少なくとも前記事件の関連づけに使用されるタグ情報を前記ネットワークに送り出す送信部、を備え、
前記受信部は、前記複数の情報提供装置のうち、前記タグ情報を受信した情報提供装置から、前記事件に関連する追加の情報を受信する、
情報収集装置。
【請求項２】
前記タグ情報は、前記事件が発生した地点を認識可能な情報を含む、
請求項１に記載の情報収集装置。
【請求項３】
前記送信部は、前記タグ情報と共に、前記事件の発生地点を示す位置情報を送り出す、
請求項１に記載の情報収集装置。
【請求項４】
前記受信部は、前記追加の情報に加え、当該追加の情報の送信地点を示す位置情報を受信し、
前記送信部はその後、前記タグ情報と共に、前記送信地点を示す位置情報を送り出す、
請求項１に記載の情報収集装置。
【請求項５】
前記受信部は、前記追加の情報に加え、当該追加の情報の送信時刻を示す時刻情報を受信し、
前記情報収集装置は、前記受信部が受信した時刻情報に基づき、前記受信部が受信した初期の情報および追加の情報を送信時刻順にソートする情報処理部、
をさらに備えた、請求項１に記載の情報収集装置。
【請求項６】
前記受信部は、前記追加の情報に加え、当該追加の情報の送信地点を示す位置情報を受信し、
前記情報収集装置は、前記受信部が受信した位置情報に基づき、前記受信部が受信した初期の情報および追加の情報の送信地点を少なくとも示す地図情報を生成する情報処理部、
をさらに備えた、請求項１に記載の情報収集装置。
【発明の詳細な説明】
【技術分野】
【０００１】
本開示は、事件に関連する情報を収集可能な情報収集装置に関する。
【背景技術】
【０００２】
従来、この種の情報収集装置としては、例えば特許文献１に記載の情報収集用コンピュータがある。具体的には、ある車両が事故を起こすと、その車両に搭載されたドライブレコーダの映像情報が固定されると共に、事故車両の車載装置は、周囲の他車両や固定装置から、それらのドライブレコーダの映像情報を収集し記憶する。事故車両の車載装置により収集された情報を、通信網を介して、情報収集用のコンピュータは受信する。
【先行技術文献】
【特許文献】
【０００３】
【特許文献１】特開２００９−２０７７４号公報
【発明の概要】
【発明が解決しようとする課題】
【０００４】
本開示は、情報収集装置のさらなる改良を提供することを目的とする。
【課題を解決するための手段】
【０００５】
本開示は、
複数の情報提供装置とネットワークを介してデータ通信可能な情報収集装置であって、
前記複数の情報提供装置のうち、事件が発生した地点周辺の情報提供装置から、前記事件の発生を告知する情報を受信する受信部、および
少なくとも前記事件の関連づけに使用されるタグ情報を前記ネットワークに送り出す送信部、を備え、
前記受信部は、前記複数の情報提供装置のうち、前記タグ情報を受信した情報提供装置から、前記事件に関連する追加の情報を受信する、
情報収集装置に向けられる。
【発明の効果】
【０００６】
本開示によれば、改良された情報収集装置、より具体的には、より多くの情報を収集可能な情報収集装置を提供することが可能となる。
【図面の簡単な説明】
【０００７】
【図１】本開示の一実施形態に係る情報収集装置を備えた情報収集システムの全体構成を示す図
【図２Ａ】図１の車載端末装置の詳細な構成を示す図
【図２Ｂ】図１の第一固定装置の詳細な構成を示す図
【図２Ｃ】図１の第二固定装置の詳細な構成を示す図
【図２Ｄ】図１の携帯端末装置の詳細な構成を示す図
【図２Ｅ】図１の情報収集装置の詳細な構成を示す図
【図３Ａ】図１の車載端末装置の処理手順を示すフロー図
【図３Ｂ】図１の第一固定装置の処理手順を示すフロー図
【図３Ｃ】図１の第二固定装置の処理手順を示すフロー図
【図３Ｄ】図１の携帯端末装置の処理手順を示すフロー図
【図３Ｅ】図１の情報収集装置の処理手順を示すフロー図
【図４Ａ】図１の情報収集装置で生成される時系列情報を示す図
【図４Ｂ】図１の情報収集装置で生成される地図情報を示す図
【図５】図１の情報収集システムにおけるシーケンスの前半部分を示す図
【発明を実施するための形態】
【０００８】
以下、上記図面を参照して、本開示の情報収集装置について詳説する。
【０００９】
＜１．定義＞
下表１は、本実施形態で使用される頭字語や略語の意味を示している。
【００１０】
【表１】
2018081489.tif 000003
【００１１】
＜２．情報収集システムの基本構成＞
図１において、情報収集システムＳには、情報収集装置１と、複数の情報提供装置３の例示としての車載端末装置３ａ、第一固定装置３ｂ、第二固定装置３ｃおよび携帯端末装置３ｄと、が通信ネットワーク５を介してデータ通信可能に接続されている。
【００１２】
なお、通信ネットワーク５には、典型的には、複数台の車載端末装置３ａ、複数台の第一固定装置３ｂ、複数台の第二固定装置３ｃおよび複数台の携帯端末装置３ｄと、が接続される。しかし、図１には便宜上、各装置３ａ〜３ｄは一台ずつ接続される形態が示される。
【００１３】
まず、各情報提供装置３について説明する。
まず、車載端末装置３ａは、車両に設置され、図２Ａに示すように、位置検出部３１ａと、情報入力部３３ａと、操作入力部３５ａと、制御部３７ａと、通信部３９ａと、を備えている。
【００１４】
位置検出部３１ａは、例えばＧＰＳ受信機であって、車載端末装置３ａの現在位置を演算等により求めて、制御部３７ａに出力する。
【００１５】
情報入力部３３ａは、典型的には車載カメラであって、車両の周囲（例えば前方）の様子を表す動画情報を生成して、制御部３７ａに出力する。
【００１６】
操作入力部３５ａは、例えば、タッチスクリーン（図示せず）に表示されるグラフィックボタン、または、車載端末装置３ａに設けられた物理ボタンで実現される。操作入力部３５ａは、自身が操作されると、その旨を示す信号を生成して制御部３７ａに出力する。
【００１７】
制御部３７ａは、内部メモリにダウンロードされたプログラムを実行するマイコンを含む。制御部３７ａの処理の詳細は後述するが、処理の概略は下記の通りである。
（１）情報入力部３３ａから得た動画情報を、現在時刻と、現在時刻から所定時間だけ遡った時刻との間分だけ保持（ドライブレコーダ機能）
（２）タグ情報の受信または搭乗者（同乗者を含む）による操作入力部３５ａの操作に応答し、その時点で保持する動画情報を情報収集装置１へと送信
【００１８】
通信部３９ａは、情報収集装置１から通信ネットワーク５を介して受信した各種情報を制御部３７ａに出力する。通信部３９ａは他にも、情報収集装置１に送信すべき各種情報を、通信ネットワーク５に送出する。
【００１９】
第一固定装置３ｂは、例えば道路沿いの建造物（店舗、家屋、施設等）に設置されたＰＣ等であって、図２Ｂに示すように、情報入力部３３ｂと、操作入力部３５ｂと、制御部３７ｂと、通信部３９ｂと、を備えている。
【００２０】
情報入力部３３ｂは、典型的には監視カメラおよび防犯カメラであって、自身が設置された建造物周囲の様子を表す動画情報を生成して、制御部３７ｂに出力する。
【００２１】
また、情報入力部３３ｂは、第一固定装置３ｂに備わるキーボード（図示せず）でも良い。ここで、キーボードとしては、第一固定装置３ｂに備わる物理キーボードでも良いし、第一固定装置３ｂに備わるタッチスクリーン（図示せず）に表示可能なスクリーンキーボードでも良い。ユーザは、これらキーボードを操作して文字入力を行う。本開示では、入力文字列としては事件に関する短文が典型的である。情報入力部３３ｂは、このような短文を表す文字情報を生成して、制御部３７ｂに出力する。
【００２２】
操作入力部３５ｂは、例えば、タッチスクリーン（図示せず）に表示されるグラフィックボタン、または、車載端末装置３ａに設けられた物理ボタンで実現される。操作入力部３５ｂは、自身が操作されると、その旨を示す電気信号を生成して制御部３７ｂに出力する。
【００２３】
制御部３７ｂは、メモリおよびマイコンを含む。
メモリには、第一固定装置３ｂが設置された場所を示す位置情報が格納される。位置情報としては、建造物がある代表位置の経度・緯度が典型的である。
マイコンは、メモリにダウンロードされたプログラムを実行する。マイコンの処理の詳細は後述するが、処理の概略は下記の通りである。
（１）情報入力部３３ｂから得た動画情報を、現在時刻と、現在時刻から所定時間だけ遡った時刻との間分だけ保持
（２）タグ情報の受信またはユーザによる操作入力部３５ｂの操作に応答して、情報入力部３３ｂから得た動画情報や文字情報を情報収集装置１へと送信
なお、第一固定装置３ｂは、車載端末装置３ａよりも大容量の補助記憶装置（図示せず）を備えることが可能であるため、長期にわたる動画情報を保持可能である。
【００２４】
通信部３９ｂは、前述の通信部３９ａと同様であるため、その詳説を控える。
【００２５】
第二固定装置３ｃは、例えば道路沿いに設置されたＩＴＳスポット等であって、基本的に、図２Ｃに示すように、情報入力部３３ｃと、制御部３７ｃと、通信部３９ｃと、を備えている。
【００２６】
情報入力部３３ｃ、制御部３７ｃおよび通信部３９ｃは、前述の情報入力部３３ｂ、制御部３７ｂおよび通信部３９ｂと同様であるため、それぞれの詳説を控える。
【００２７】
携帯端末装置３ｄは、図２Ｄに示すように、ユーザにより携帯される携帯電話やスマートフォンであって、位置検出部３１ｄと、情報入力部３３ｄと、操作入力部３５ｄと、制御部３７ｄと、通信部３９ｄと、を備えている。
【００２８】
位置検出部３１ｄは、前述の位置検出部３１ａと同様であるため、その詳説を控える。
【００２９】
情報入力部３３ｄは、典型的には携帯端末装置に実装されたカメラであって、周囲の様子を表す動画情報や静止画情報を生成して、制御部３７ｄに出力する。
【００３０】
また、情報入力部３３ｄは、前述の情報入力部３３ｂと同様のキーボードであっても良い。ユーザは、これらキーボードを操作して、例えば、事件に関する短文を入力する。情報入力部３３ｄは、このような短文を表す文字情報を生成して、制御部３７ｄに出力する。
【００３１】
操作入力部３５ｄは、例えばマイクロフォンであって、ユーザによる入力音声を電気信号等に変換して制御部３７ｄに出力する。操作入力部３５ｄは、表示装置（図示せず）に表示されるグラフィックボタンでも良いし、携帯端末装置３ｄに設けられた物理ボタンでも良い。これらのボタンの場合、ユーザにより操作されると、その旨を示す電気信号を生成して制御部３７ｄに出力する。
【００３２】
制御部３７ｄおよび通信部３９ｄは、前述の制御部３７ａおよび通信部３９ａと同様であるため、それぞれの詳説を控える。
【００３３】
情報収集装置１は、車載端末装置３ａ、両固定装置３ｂ，３ｃおよび携帯端末装置３ｄの遠隔に設置されて、通信ネットワーク５を介して、これら装置３ａ〜３ｄとデータ通信を行う。本開示では、情報収集装置１は、図２Ｅに示すように、通信部１１と、情報処理部１３と、を備えている。
【００３４】
通信部１１は、通信ネットワーク５を介して各装置３ａ〜３ｄからの各情報を受信して情報処理部１３に出力する。通信部１１は他にも、各装置３ａ〜３ｄに送信すべき各情報を、通信ネットワーク５に送出する。
【００３５】
情報処理部１３は、内部のメモリに予め格納されたプログラムを実行するマイコンを含む。情報処理部１３の処理の詳細は後述する。
【００３６】
再度、図１を参照する。通信ネットワーク５は、典型的には、インターネットおよび無線通信ネットワークの組み合わせである。
【００３７】
＜３．情報収集システムへの参加＞
上記情報収集装置１の主たる特徴は、要約すると、下記の通りである。情報収集装置１において、通信部１１は、受信部１１として機能し、情報処理部１３は、まず、何らかの事件（交通事故等の出来事）が発生した地点周辺の情報提供装置３から、事件の発生を告知する情報（以下、初期情報という）を、通信ネットワーク５を介して受信する。情報処理部１３は次に、少なくとも事件の関連づけに使用されるタグ情報を生成する。通信部１１は、送信部１１として機能して、通信ネットワーク５に送り出す。通信部１１は、受信部１１として機能して、タグ情報の受信に応答した情報提供装置３から事件に関連する追加の情報（以下、追加情報という）を受信して、情報処理部１３に出力する。
【００３８】
このような情報収集のために、車載端末装置３ａ、第一固定装置３ｂ、第二固定装置３ｃおよび携帯端末装置３ｄは、情報提供用のプログラムをインストールした後、各種設定を行って、情報収集装置１への情報提供時に使用する一意なＩＤの割り当てを受ける。割り当てられたＩＤは、各情報提供装置３の制御部３７（より具体的には、３７ａ〜３７ｄ）に備わるメモリに格納される。
【００３９】
＜４．情報収集システムの各構成の処理・動作＞
以下、情報収集システムＳの各装置３ａ〜３ｄおよび情報収集装置１の処理・動作について説明する。
【００４０】
＜４−１．車載端末装置について＞
車載端末装置３ａの起動後、制御部３７ａは、図３ＡのステップＳ００１に示すように、ドライブレコーダとして機能し、情報入力部３３ａから得た動画情報をメモリに格納すると共に、現在時刻から所定時間だけ遡った時刻を超える動画情報をメモリから削除する。
【００４１】
次に、制御部３７ａは、図３ＡのステップＳ００３において、情報提供装置３から配信されたタグ情報から所定のタグ情報を選択して、画面（図示せず）に一覧表示する。以下、ステップＳ００３の処理を詳説する。
【００４２】
タグ情報は、好ましい例としては、事件発生地点の住所と、対象となる事件に関連して、情報提供を求める地理的範囲の基準地点の位置情報を含む。この基準地点は、初期的には、対象となる事件の発生地点であるが、時間経過により変わり得る。
【００４３】
制御部３７ａは、位置検出部３１ａから車載端末装置３ａの現在位置を取得し、所定のタグ情報を選択する。所定のタグ情報は、車載端末装置３ａの現在位置への空間距離が予め定められた距離（例えば３００ｍ）よりも小さい基準地点を含んでいる。
【００４４】
ステップＳ００３の後、搭乗者は、事件を目撃し、かつ、一覧表示中に同事件の発生地点の住所がある場合において、追加情報を情報提供装置３に送信したい場合、表示中のタグ情報を操作入力部３５ａで指定すると共に、情報提供を行う旨を、操作入力部３５ａに対し入力する。
【００４５】
一方、搭乗者は、事件を目撃し、情報提供装置３に初期情報を送信したい場合には、タグ情報を指定せずに情報提供を行う旨だけを操作入力部３５ａに入力する。
【００４６】
ステップＳ００３の次に、制御部３７ａは、図３ＡのステップＳ００５において、ステップＳ００３の実行から予め定められた待機時間が経過したか否かを判断する。
【００４７】
それに対し、制御部３７ａは、ステップＳ００５でＮＯと判断すると、図３ＡのステップＳ００７において、タグ情報の指定無しで情報提供を行うか否かを判断する。
【００４８】
ステップＳ００７でＹＥＳと判断した場合、制御部３７ａは、図３ＡのステップＳ００９に示すように、現在保持する動画情報を初期情報として、位置検出部３１ａから取得した現在位置、タイマー（図示せず）から取得した現在時刻、および車載端末装置３ａのＩＤと共に通信部３９ａを介して通信ネットワーク５に送出する。
【００４９】
上記に対し、ステップＳ００７でＮＯと判断した場合、制御部３７ａは、図３ＡのステップＳ０１１において、タグ情報の指定有りで情報提供を行うか否かを判断する。
【００５０】
ステップＳ０１１でＹＥＳと判断した場合、制御部３７ａは、図３ＡのステップＳ０１３に示すように、現在保持する動画情報を追加情報として、車体端末装置３ａの現在位置およびＩＤ、現在時刻ならびに指定されたタグ情報を、通信部３９ａを介して通信ネットワーク５に送出する。
【００５１】
上記に対し、ステップＳ０１１でＮＯと判断した場合、制御部３７ａは、ステップＳ００５を行う。
【００５２】
また、制御部３７ａは、ステップＳ００５でＹＥＳと判断した場合、または、ステップＳ００９，Ｓ０１３の実行後、ステップＳ００１に戻る。
【００５３】
＜４−２．第一固定装置について＞
第一固定装置３ｂの処理・動作は、車載端末装置３ａの処理・動作と似ている。よって、第一固定装置３ｂの処理・動作の説明を簡素化する。
【００５４】
第一固定装置３ｂにおいてプログラムが起動すると、制御部３７ｂは、図３ＢのステップＳ１０１に示すように、情報入力部３３ｂから得た動画情報を内部メモリまたは補助記憶装置に格納すると共に、不必要になった動画情報を削除する。
【００５５】
次に、制御部３７ｂは、図３ＢのステップＳ１０３において、情報提供装置３から配信された所定のタグ情報を選択して、画面（図示せず）に一覧表示する。所定のタグ情報は、前述と同様であるため、その詳説を控える。
【００５６】
ステップＳ１０３の次に、制御部３７ｂは、図３ＢのステップＳ１０５において、ステップＳ１０３の実行から予め定められた待機時間が経過していないと判断すると、図３ＢのステップＳ１０７において、タグ情報の指定無しで情報提供を行うか否かを判断する。
【００５７】
ステップＳ１０７でＹＥＳと判断した場合、制御部３７ｂは、図３ＢのステップＳ１０９に示すように、現在保持する動画情報を、内部メモリに格納された第一固定装置３ｂの設置位置、タイマー（図示せず）から取得した現在時刻、および第一固定装置３ｂのＩＤと共に通信部３９ｂを介して通信ネットワーク５に送出する。
【００５８】
上記に対し、ステップＳ１０７でＮＯと判断した場合、制御部３７ｂは、図３ＢのステップＳ１１１において、タグ情報の指定有りで情報提供を行うか否かを判断する。
【００５９】
ステップＳ１１１でＹＥＳと判断した場合、制御部３７ｂは、図３ＢのステップＳ１１３に示すように、現在保持する動画情報、第一固定装置３ｂの設置位置およびＩＤならびに現在時刻と共に、指定されたタグ情報を、通信部３９ｂを介して通信ネットワーク５に送出する。
【００６０】
上記に対し、ステップＳ１１１でＮＯと判断した場合、制御部３７ｂは、ステップＳ１０５を行う。
【００６１】
また、制御部３７ｂは、ステップＳ１０５でＹＥＳと判断した場合、または、ステップＳ１０９，Ｓ１１３の実行後、ステップＳ１０１に戻る。
【００６２】
＜４−３．第二固定装置について＞
第二固定装置３ｃの処理・動作は、図３Ｃに示すように、第一固定装置３ｂの処理・動作と部分的に似ている。よって、第二固定装置３ｃの処理・動作の説明を簡素化する。
【００６３】
第二固定装置３ｃにおいて、制御部３７ｃは、図３ＣのステップＳ２０１に示すように、情報入力部３１ｃから得た静止画情報等を内部メモリまたは補助記憶装置に格納すると共に、不必要になった静止画情報等を削除する。なお、前述の通り、第二固定装置３ｃは例えばＩＴＳスポットである。この場合、本件の出願時点では、第二固定装置３ｃは、主として、車載端末装置３ａから静止画情報および車載端末装置３ａのＩＤを受信する。しかし、これに限らず、第二固定装置３ｃは、上記に加え動画情報を受信することも出来る。
【００６４】
次に、制御部３７ｃは、図３ＣのステップＳ２０３に示すように、情報提供装置３から配信されたタグ情報の中に、所定のタグ情報（前述）があるか否かを判断する。
【００６５】
ステップＳ２０３でＮＯと判断した場合、制御部３７ｃは前述のステップＳ２０１を行うが、そうでない場合、制御部３７ｃは、図３ＣのステップＳ２０５に示すように、過去所定時間分の動画情報を、ステップＳ２０３で見つけたタグ情報、第二固定装置３ｃの設置位置およびＩＤ、および現在時刻と共に通信部３９ｃを介して通信ネットワーク５に送出する。
【００６６】
制御部３７ｃは、図３ＣのステップＳ２０５が終わると、ステップＳ２０１に戻る。
【００６７】
＜４−４．携帯端末装置について＞
【００６８】
携帯端末装置３ｄにおいてプログラムが起動すると、制御部３７ｄは、図３ＤのステップＳ３０１に示すように、情報提供装置３から配信された所定のタグ情報（前述）を選択して、画面（図示せず）に一覧表示する。所定のタグ情報は、前述と同様であるため、その詳説を控える。
【００６９】
ステップＳ３０１の後、ユーザは、事件を目撃し、かつ、一覧表示中に同事件の発生地点の住所がある場合において、追加情報を情報提供装置３に送信したい場合、同事件の様子を撮影したり、同事件に関する短文を作成したりする。これにより、情報入力部３３ｄからは、事件の様子を表す静止画等および／または文字列を含む追加情報が制御部３７ｄに送信される。その後、ユーザは、表示中のタグ情報を操作入力部３５ｄで指定すると共に、情報提供を行う旨を、操作入力部３５ｄに対し入力する。
【００７０】
一方、ユーザが、事件を目撃し、情報提供装置３に初期情報を送信したい場合には、上述と同様、事件の様子を撮影したり短文を作成したりする。これにより、上述同様、制御部３７ｄには、静止画等および／または文字列が初期情報として送信される。その後、ユーザは、タグ情報を指定せずに情報提供を行う旨だけを操作入力部３５ｄに入力する。
【００７１】
ステップＳ３０１の次に、制御部３７ｄは、図３ＤのステップＳ３０３において、ステップＳ３０１の実行から予め定められた待機時間が経過したか否かを判断する。
【００７２】
それに対し、制御部３７ｄは、ステップＳ３０３でＮＯと判断すると、図３ＤのステップＳ３０５において、タグ情報の指定無しで情報提供を行うか否かを判断する。
【００７３】
ステップＳ３０５でＹＥＳと判断した場合、制御部３７ｄは、図３ＤのステップＳ３０７に示すように、現在保持する初期情報を、位置検出部３１ｄから取得した現在位置、タイマー（図示せず）から取得した現在時刻、および携帯端末装置３ｄのＩＤと共に通信部３９ｄを介して通信ネットワーク５に送出する。
【００７４】
上記に対し、ステップＳ３０５でＮＯと判断した場合、制御部３７ｄは、図３ＤのステップＳ３０９において、タグ情報の指定有りで情報提供を行うか否かを判断する。
【００７５】
ステップＳ３０９でＹＥＳと判断した場合、制御部３７ｄは、図３ＤのステップＳ３１１に示すように、現在保持する追加情報、携帯端末装置３ｄの現在位置およびＩＤならびに現在時刻と共に、指定されたタグ情報を、通信部３９ｄを介して通信ネットワーク５に送出する。
【００７６】
上記に対し、ステップＳ３０９でＮＯと判断した場合、制御部３７ｄは、ステップＳ３０３を行う。
【００７７】
また、制御部３７ｄは、ステップＳ３０３でＹＥＳと判断した場合、または、ステップＳ３０７，Ｓ３１１の実行後、ステップＳ３０１に戻る。
【００７８】
＜４−５．情報収集装置について＞
情報収集装置１において、情報処理部１３は、図３ＥのステップＳ４０１に示すように、通信部１１を介して初期情報を受信すると、受信した初期情報をメモリに保存すると共に、受信した初期情報に対してタグ情報を割り当てる。
【００７９】
タグ情報は、予め定められた記号に事件発生地点の住所を付されてなる。タグ情報はさらに、基準地点の位置情報を含む。初期情報の場合、基準地点の位置情報は、初期情報に含まれる事件の発生地点を示す位置情報である。
【００８０】
次に、情報処理部１３は、図３ＥのステップＳ４０３において、ステップＳ４０１で割り当てたタグ情報を、基準地点の位置情報と共に通信部１１を介して通信ネットワーク５に送り出す。
【００８１】
情報処理部１３は、図３ＥのステップＳ４０５，Ｓ４０７に示すように、タグ情報の送信後、予め定められた待機時間が経過するまでの間、通信部１１を介して追加情報を受信すると、受信した追加情報をメモリに保存する。
【００８２】
情報処理部１３は、ステップＳ４０７でＹＥＳと判断すると、図３ＥのステップＳ４０９において、ステップＳ４０５で受信した追加情報の一つを選択し、選択した追加情報に含まれる情報提供装置３の位置情報を、新たな基準地点の位置情報とする。ここで、選択される追加情報としては、それに含まれる送信時刻が最も新しいものが例示される。
【００８３】
次に、情報処理部１３は、図３ＥのステップＳ４１１において、ステップＳ４０９で設定した新たな基準地点の位置情報を含むタグ情報を、通信部１１を介して通信ネットワーク５に送り出す。
【００８４】
また、情報処理部１３は、次のステップＳ４１３において、現在メモリに保持している初期情報および追加情報を、これらに含まれる送信時刻の順番にソートして、図４Ａに示すような時系列情報を生成する。
【００８５】
情報処理部１３はさらに、図３ＥのステップＳ４１５において、予め保持する地図上に、現在メモリに保持している初期情報および追加情報に含まれる送信地点Ｐをマーキングした地図情報（図４Ｂを参照）を生成する。
【００８６】
その後、情報処理部１３は、通信部１１を介して、ステップＳ４１３，Ｓ４１５で生成した時系列情報および地図情報を、捜査機関７等に提供する。
【００８７】
次に、情報処理部１３は、図３ＥのステップＳ４１７において、対象となる事件に関する情報収集の終了条件を満たすか否かを判断する。
終了条件としては、下記が例示される。
・単位時間当たりの追加情報の受信回数が予め定められた閾値回数以下
・初期情報の受信から予め定められた閾値時間を経過したか
【００８８】
ステップＳ４１７でＹＥＳと判断すると、情報処理部１３は、処理を終了する。
それに対し、ステップＳ４１７でＮＯと判断すると、情報処理部１３は、新たな追加情報を受信するために、ステップＳ４０５に戻る。
【００８９】
なお、上記では、情報処理部１３は、ステップＳ４０９，Ｓ４１１，Ｓ４１３，Ｓ４１５の順番で処理を行うとして説明した。しかし、これに限らず、情報処理部１３は、他の順番（例えば、ステップＳ４１３，Ｓ４１５，Ｓ４０９，Ｓ４１１の順番）で処理を行っても良い。
【００９０】
＜５．情報提供システムにおけるシーケンスの一例＞
次に、図５を参照して、情報提供システムＳにおける通信シーケンスの一例を説明する。
【００９１】
例えば車両Ｂに車両Ｃが追突事故（即ち、事件）を起こすと、それらの対向車両Ａの車載端末装置３ａは、図３Ａの処理を行い、動画等を含む初期情報を情報収集装置１に送信する（図５のシーケンスＳ５０１）。
【００９２】
情報収集装置１は、図３Ｅの処理を行い、初期情報の受信に応答して、この追突事故に対し、発生地点を基準地点として含むタグ情報を割り当てて、通信ネットワーク５に送り出す（図５のシーケンスＳ５０３）。
【００９３】
発生地点の周辺の情報提供装置３ａ〜３ｄは、図３Ａ〜図３Ｄの処理を行い、動画等を含む追加情報を情報収集装置１に送信する（図５のシーケンスＳ５０５）。
【００９４】
情報収集装置１は、図３Ｅの処理を行い、追加情報の受信に応答して、この追突事故に対し、新たな基準地点を含むタグ情報を割り当てて、通信ネットワーク５に送り出す（図５のシーケンスＳ５０７）。
【００９５】
新たな基準地点周辺の情報提供装置３ａ〜３ｄは、図３Ａ〜図３Ｄの処理を行い、動画等を含む更なる追加情報を情報収集装置１に送信する（図５のシーケンスＳ５０９）。
【００９６】
情報収集システムＳでは、情報収集装置１で情報収集の終了条件が満たされるまで、シーケンスＳ５０７，Ｓ５０９が繰り返される。
【００９７】
その後、情報収集装置１は、情報収集の終了条件が満たされた後、図４Ａ，図４Ｂに示す時系列情報および地図情報を生成して、捜査機関７等に提供する（図５ＢのシーケンスＳ５１１）。
【００９８】
＜６．情報提供システムの作用・効果＞
上記の通り、本情報収集装置１は、様々な情報提供装置３から、事件の発生を告知する初期情報だけでなく、タグ情報を使用することで、追加の情報を取得可能となっている。これにより、事件に関する様々な情報を情報提供装置１は収集することが可能となる。
【００９９】
また、タグ情報が事件発生地点の住所を含むことで、各情報提供装置３のユーザは、事件発生地点が認識可能になっているため、追加情報を送信し易くなっている。
【０１００】
また、情報収集装置１は、タグ情報を送信するたびに、それぞれに含まれる基準地点（事件発生地点や追加情報の送信地点）を更新している。従って、情報提供装置３からの追加の情報に含まれる送信地点は、例えば当て逃げ事件等においては、事件の展開（犯人の逃亡経路）に応じて変化する。これにより、情報収集装置１は、事件の展開に応じた、より有益な追加情報を得ることが可能となる。
【０１０１】
また、情報収集装置１は、収集した初期情報および追加情報に基づき、図４Ａ，図４Ｂに示す時系列情報や地図情報を生成するため、捜査機関７等にとって利用価値の高い情報を生成することが出来る。
【０１０２】
＜７．付記＞
【０１０３】
上記実施形態では、例えば、図３ＡのステップＳ００３の処理により、タグ情報に含まれる基準地点に基づき、所定範囲内の情報提供装置３のみがステップＳ００５以降の処理を行うようになっていた。しかし、これに限らず、情報収集装置１が情報収集システムＳ内の情報提供装置３の位置情報を管理し、基準地点に対し所定範囲内の情報提供装置３に限りタグ情報を配信しても構わない。
【０１０４】
また、上記実施形態では、ステップＳ４１３，Ｓ４１５は、ステップＳ４０７でＹＥＳと判断されると実行されていた。これによって、時系列情報および地図情報がリアルタイムに更新されることとなる。しかし、これに限らず、ステップＳ４１３，Ｓ４１５は、ステップＳ４１７でＹＥＳと判断された後に実行されても構わない。この場合、時系列情報および地図情報は、リアルタイムに更新されるのでなく、待機時間の間に収集された追加情報を一括的に含むことになる。
【産業上の利用可能性】
【０１０５】
本開示に係る情報収集装置は、事件に関して様々な情報を得ることが可能であり、通信ネットワーク上のサーバ装置等に好適である。
【符号の説明】
【０１０６】
１  情報収集装置
１１  通信部（送信部、受信部）
１３  情報処理部
【図１】
2018081489.tif 000004
【図２Ａ】
2018081489.tif 000005
【図２Ｂ】
2018081489.tif 000006
【図２Ｃ】
2018081489.tif 000007
【図２Ｄ】
2018081489.tif 000008
【図２Ｅ】
2018081489.tif 000009
【図３Ａ】
2018081489.tif 000010
【図３Ｂ】
2018081489.tif 000011
【図３Ｃ】
2018081489.tif 000012
【図３Ｄ】
2018081489.tif 000013
【図３Ｅ】
2018081489.tif 000014
【図４Ａ】
2018081489.tif 000015
【図４Ｂ】
2018081489.tif 000016
【図５】
2018081489.tif 000017